(57)【特許請求の範囲】
【請求項１】
複数の遊技機が群を成した遊技機群に取り付けられ、所定の告知内容が表示された装飾体を保持させるための装飾体保持具であって、
保持部本体を備えており、
前記保持部本体は、別途用意した装飾体を保持させる挿入口を有し、
収納部と移動手段を有し、
収納部は、遊技機群の内部に配され、保持部本体の一部又は全部を収納し、
移動手段は、収納部に対する保持部本体の相対的移動を可能とし、保持部本体を、収納部に収納した収納姿勢と、収納部から退出した保持姿勢に変更可能なもので、
保持部本体は、収納姿勢に変更されると、遊技機群の内部に位置することを特徴とする装飾体保持具。
【請求項２】
前記保持部本体には旗及び棹部を備えた装飾体を保持する挿入口が設けられていることを特徴とする請求項１に記載の装飾体保持具。
【請求項３】
前記移動手段は、保持部本体の直線移動を可能とする所定の機構を有し、
保持部本体を押圧操作することで、当該保持部本体を収納姿勢に変更できることを特徴とする請求項１又は２に記載の装飾体保持具。
【請求項４】
前記所定の機構は、オルタネイト動作を行うものであり、押し込んだ位置で姿勢を保持できることを特徴とする請求項３に記載の装飾体保持具。
【請求項５】
姿勢変更手段を有し、前記姿勢変更手段は、保持部本体の回転移動を可能とする所定の機構を有し、
保持部本体に回転方向の外力を作用させると、当該保持部本体を収容姿勢に変更できることを特徴とする請求項１に記載の装飾体保持具。
【発明の詳細な説明】
【技術分野】
【０００１】
本発明は、本発明は、遊技場の演出効果を高める装飾体を保持するための装飾体保持具に関するものである。
【背景技術】
【０００２】
ぱちんこ機やスロット機等の遊技機が設置された遊技場では、一般的に、複数の遊技機が群を形成した遊技機島を備えた構成とされている。そして、この種の遊技場では、新台導入や、週あるいは月毎に行われるイベント等の演出を図るべく、遊技機島の構造体（例えば遊技機同士の間、幕板、あるいはランプ板等）に挟持構造の保持具（以下、挟持保持具という）を取り付け、その保持具に表示プレートを保持させている。例えば、特許文献１に挟持保持具に関する技術が開示されている。
また、遊技場には、表示プレートと同様の効果が期待できる、表示フラッグを用いる場合があり、この場合、筒構造の保持具（以下、筒状保持具という）が用いられている。
【先行技術文献】
【特許文献】
【０００３】
【特許文献１】特開平８−２１５４０４号公報
【発明の概要】
【発明が解決しようとする課題】
【０００４】
ところで、遊技機島内には、遊技機に使用される遊技球やメダル等の遊技媒体が搬送される搬送路や、遊技媒体が一時的に貯留される島タンク等の部材や機器等が設置されており、遊技媒体の円滑な流れを維持するべく、定期的にメンテナンスが行われる。特に、このメンテナンスを行う場合であって、遊技機島の上部側（遊技機の設置位置よりも高位置）に位置する搬送路等のメンテナンスを行う場合、通常、作業者は、脚立等を用いて、遊技機島の天井側から作業を行う。具体的には、作業者は、遊技機島に近接する位置に脚立等を据え、その脚立に乗って遊技機島の側面等から身を乗り出すようにして、遊技機島内部のメンテナンスを行う。
【０００５】
このため、遊技機島の側面から外側に突出するような部材、特に遊技機島の構造体に後付けされたプレートやフラッグ等の装飾体用の保持具（以下、単に装飾体保持具という）が、このメンテナンス作業を行う際の障害物となり、保持具に衣類やツール等を引っ掛けて破損させてしまう場合があった。すなわち、作業者は、脚立を用いてメンテナンス作業等を行う場合、装飾体保持具を破損させないように注意を払う必要があり、作業効率を著しく低下させていた。
【０００６】
そこで、本発明では、そのような従来技術の問題点に鑑み、メンテナンス作業の作業効率を低下させる一因子となることがない装飾体保持具を提供することを課題とする。
【課題を解決するための手段】
【０００７】
上記課題を解決するべく提供される請求項１に記載の発明は、複数の遊技機が群を成した遊技機群に取り付けられ、所定の告知内容が表示された装飾体を保持させるための装飾体保持具であって、保持部本体を備えており、前記保持部本体は、別途用意した装飾体を保持させる挿入口を有し、収納部と移動手段を有し、収納部は、遊技機群の内部に配され、保持部本体の一部又は全部を収納し、移動手段は、収納部に対する保持部本体の相対的移動を可能とし、保持部本体を、収納部に収納した収納姿勢と、収納部から退出した保持姿勢に変更可能なもので、保持部本体は、収納姿勢に変更されると、遊技機群の内部に位置することを特徴とする装飾体保持具である。
すなわち本発明は、複数の遊技機が群を成した遊技機群に取り付けられ、所定の告知内容が表示された装飾体を保持する保持部本体を備えた装飾体保持具であって、収納部と移動手段を有し、収納部は、遊技機群の内部に配され保持部本体の一部又は全部を収納し、移動手段は、収納部に対する保持部本体の相対的移動を可能とし、保持部本体を、収納部に収納した収納姿勢と、収納部から退出した保持姿勢に変更可能なもので、保持部本体は、収納姿勢に変更されると、遊技機群の内部に位置することを特徴とする装飾体保持具である。
【０００８】
本発明の装飾体保持具は、装飾体を保持する保持部本体が、遊技機群の内部に収納される姿勢に変更可能な構成とされている。すなわち、本発明では、保持部本体の一部又は全部を収納する収納部と、収納部に対して保持部本体の姿勢を変更可能な移動手段とを有しており、その収納部が遊技機群の内部側に配された構成とされている。換言すれば、保持部本体を収納姿勢に変更することで、当該保持部本体を遊技機群の内部に位置する姿勢に変更することができる。これにより、必要に応じて、保持部本体を遊技機群の内部に収納することが可能となる。例えば、先に説明した、遊技機群のメンテナンス作業の際などに好適である。したがって、メンテナンス作業の際に、保持部本体の遊技機群の内部に収容すれば、装飾体保持具がその作業の障害の一因子となることがない。
【０００９】
本発明に関連する発明は、前記保持部本体には切り込み部が設けられており、前記切り込み部が装飾体の挟持部として機能することを特徴とするものである。
【００１０】
請求項２に記載の発明は、前記保持部本体には旗及び棹部を備えた装飾体を保持する挿入口が設けられていることを特徴とする請求項１に記載の装飾体保持具である。
【００１１】
請求項３に記載の発明は、前記移動手段は、保持部本体の直線移動を可能とする所定の機構を有し、保持部本体を押圧操作することで、当該保持部本体を収納姿勢に変更できることを特徴とする請求項１又は２に記載の装飾体保持具である。
【００１２】
かかる構成によれば、保持部本体を押圧するだけで、その保持部本体を遊技機群の内部に位置する収納姿勢に変更できるため、保持部本体を収納姿勢にする手間が殆どない。
【００１３】
本発明の装飾体保持具は、前記所定の機構は、オルタネイト動作を行うものであり、押し込んだ位置で姿勢を保持できるものであることが望ましい。（請求項４）
【００１４】
請求項５に記載の発明は、姿勢変更手段を有し、前記姿勢変更手段は、保持部本体の回転移動を可能とする所定の機構を有し、保持部本体に回転方向の外力を作用させると、当該保持部本体を収容姿勢に変更できることを特徴とする請求項１に記載の装飾体保持具である。
【００１５】
かかる構成によれば、保持部本体を、回転方向の外力を作用させることで、遊技機群の内部に位置する収納姿勢に変更できるため、保持部本体を収納姿勢にする手間が殆どない。
【発明の効果】
【００１６】
本発明の装飾体保持具は、装飾体を保持する保持部本体を遊技機群の内部に位置する収納姿勢に変更することができるため、遊技機群内部のメンテナンス作業を行う際に、作業性を低下させる一因子になり得ない。
【図面の簡単な説明】
【００１７】
【図１】第一実施形態に係る装飾体保持具が設置された遊技場の遊技機島を示す斜視図である。
【図２】図１の遊技機島のＡ−Ａ断面図である。
【図３】図１の装飾体保持具を示す斜視図である。
【図４】移動手段と保持部材との関係を示す概念図である。
【図５】収納部材を示す斜視図である。
【図６】遊技機島に設けられた取付開口を示す斜視図である。
【図７】（ａ）、（ｂ）は、保持部材の動作を示す説明図である。
【図８】第二実施形態に係る装飾体保持具を示す斜視図である。
【図９】図８の装飾体保持具を示す分解斜視図である。
【図１０】保持部材を別の方向から見た斜視図である。
【図１１】（ａ）〜（ｃ）は、保持部材の動作を示す説明図である。
【図１２】フラッグ装飾体を保持する保持部材を備えた装飾体保持具示す斜視図である。
【図１３】（ａ）、（ｂ）は、図１２の保持部材の動作を示す説明図である。
【発明を実施するための形態】
【００１８】
以下に、本発明の第一実施形態に係る装飾体保持具１について説明する。
本実施形態の装飾体保持具１は、複数のぱちんこ機やスロット機等の遊技機３０を１つの群とした遊技機群（以下、遊技機島という）３１に適した構成であり、その遊技機島３１の島構造部２８に取り付けられて、遊技場内の演出効果を高めるべく、図示しないプレート状の装飾体（以下、プレート装飾体という）等を保持するものである。
以下においては、理解を容易にするため、１つの遊技機島３１に注目して説明する。
【００１９】
まず、本実施形態の装飾体保持具１が取り付けられる遊技機島３１について説明する。
遊技機島３１は、図１に示すように、島の外郭を形成する島構造部２８に複数の枠状の遊技機取付部３２が並列的に設けられており、遊技機３０はその各遊技機取付部３２に１台ずつ遊技機３０が設置されている。具体的には、本実施形態における遊技機島３１では、１つの遊技機島３１に並設された遊技機３０が２列（１列のみ図示）備えられている。
【００２０】
島構造部２８は、柱部材（図示しない）及び梁部材３９に化粧板４０等が取り付けられた構成であり、特に、図２に示すように、化粧板４０として、天井側から、天板３３、幕板３４、ランプ板３５、腰板３６、幅木３７が設けられている。
【００２１】
また、島構造部２８の内部及び外部に露出するように、各遊技機３０に遊技媒体（遊技球やメダル）を搬送する搬送路（図示しない）や、一時的に遊技媒体を貯留する島タンク（図示しない）、遊技媒体を研磨する研磨装置（図示しない）等の遊技機３０を動作させる際に関連する部材や機器が配されているが、本発明においては特に関係がないため説明を省略する。
【００２２】
次に、本実施形態の装飾体保持具１について説明する。
装飾体保持具１は、主に島構造部２８のランプ板３５や幕板３４に、両面テープ等の接着手段やビス等の締結手段を用いて固定されるもので、図３、４に示すように、保持部材（保持部本体）２と、その保持部材２の姿勢変更を可能とする移動手段３と、保持部材２を収納する収納部材５とで構成されている。
【００２３】
保持部材２は、断面形状がほぼ方形の筒状構造であり、軸線方向に貫通した構成とされている。具体的には、保持部材２は、側壁１１を有し、側壁１１が方形状の筒体を形成している。また、この側壁１１には、軸線方向に伸びた切り込み部１２が設けられている。切り込み部１２は、保持部材２の周方向の連続性を一部不連続にするもので、プレート装飾体（図示しない）を保持部材２に保持させるための挿入口として機能すると共に、プレート装飾体を保持する挟持部として機能するものである。
【００２４】
移動手段３は、一般的な押ボタンスイッチに用いられる公知の操作機構であり、図４に示すように、ハート状カム方式のものが採用されている。すなわち、このような操作機構を備えた移動手段３は、押圧操作前の機構姿勢を基準姿勢とすれば、押圧操作によって、押し込まれた位置で姿勢が保持され、再度押圧操作を行うと前記姿勢から押し込み側に若干姿勢が変更された後、基準姿勢に戻るというオルタネイト動作を行う。なお、オルネタイト動作を行う代表的な機構には、ハート状カム方式の他、回転カム方式のものや、ラチェットカム方式のもの等があるため、適宜に別の方式に変更した移動手段を採用しても構わない。
【００２５】
収納部材５は、図５に示すように、一面が開放された直方体状のケースである。すなわち、収納部材５は、開口部７と内部空間８を有し、開口部７を介して内部空間８と外部とが連通した構成とされている。また、収納部材５は、保持部材２の全体を収納できる大きさとされている。すなわち、収納部材５は、内部空間８の大きさが、保持部材２の大きさより十分大きく設定されている。より詳細には、収納部材５の内部空間８には、保持部材２の他、移動手段３が収納されるため、内部空間８の大きさは、保持部材２と移動手段３とが収まる程度の大きさである。
【００２６】
また、収納部材５は、開口部７側に一対の外フランジ部１３が設けられている。この一対の外フランジ部１３は、開口部７を間に、対向する位置に配されており、その開口部７の外側に向けて張り出すように設けられている。換言すれば、一対の外フランジ部１３は、開口部７を基準に、互いに離反する方向に張り出した張出部である。そして、この外フランジ部１３にはそれぞれ、ビス用孔１５が２つずつ設けられている。
【００２７】
続いて、装飾体保持具１を構成する各部材の位置関係について説明する。
本実施形態の装飾体保持具１は、図３に示すように、収納部材５の内部空間８に移動手段３が内蔵され、その移動手段３に保持部材２が接続されている。具体的には、移動手段３は、内部空間８内で機構の姿勢を変更し得る配置であり、保持部材２は、内部空間８の内外に渡って移動し得る配置である。すなわち、保持部材２は、移動手段３の姿勢変更に追従するように移動し、内部空間８の内側と外側との間で位置変更する配置である。より詳細に言えば、保持部材２は、内部空間８の外側に位置する姿勢においては、図７（ａ）に示すように、切り込み部１２と対向する側の側壁１１が収納部材５の開口部７に最も近接し、内部空間８の内側に位置する姿勢においては、図７（ｂ）に示すように、切り込み部１２側の側壁１１が収納部材５の開口部７に最も近接する配置とされている。
【００２８】
次に、遊技機島３１における装飾体保持具１の位置関係について説明する。
装飾体保持具１は、前記したように、島構造部２８のランプ板３５や幕板３４に取り付けられている。具体的には、図６に示すように、ランプ板３５や幕板３４には、装飾体保持具１の収納部材５を挿通できる取付開口１６が形成されており、その取付開口１６に収納部材５を挿通した状態で、島構造部２８に固定されている。より詳細には、装飾体保持具１は、図３に示すように、収納部材５の開口部７が遊技機島３１の内部側ではなく、遊技機島３１の外部側に開口するように、取付開口１６に収納部材５が挿通されており、その状態で、外フランジ部１３をランプ板３５あるいは幕板３４に当接させて、接着手段や締結要素を用いて固定されている。すなわち、装飾体保持具１は、外フランジ部１３を遊技機島３１の外側に配して固定されている。
【００２９】
次に、装飾体保持具１の機能について説明する。
本実施形態の装飾体保持具１は、プレート装飾体５０を保持する通常の機能と、保持部材２を遊技機島３１内に収納する特徴的機能とを備えている。
なお、装飾体保持具１の通常の機能については、公知のそれと同様であるため、説明を省略し、特徴的機能にのみ注目して説明する。
【００３０】
本実施形態の特徴的機能は、保持部材２を直接的に押圧操作することで果たされる。すなわち、図７（ａ）に示すように、保持部材２を収納部材５の内部空間８内に向けて押し込むように、指あるいは手のひらで押圧すると、図７（ｂ）に示すように、保持部材２全体が内部空間８内に収納され、その収納された状態の姿勢が保持される（収納姿勢）。そして、この収納姿勢の保持部材２に対して、さらに押圧操作を繰り返すと、保持部材２は若干押し込まれてから、内部空間８から退出する方向に移動し、内部空間８から退出すると、プレート装飾体５０を保持する保持姿勢が維持される（図７（ａ））。
【００３１】
一方、このときの移動手段３は、図示しないが、保持部材２から伝導された外力によって、機構の姿勢が縮まる方向に変更されて、縮み側の所定の位置に達するとその位置での姿勢が保持される（保持部材２の収納姿勢に対応）。そして、この姿勢からさらに押圧操作が繰り返されると、移動手段３は若干押し込まれてから、伸び方向に姿勢が変更され、伸び側の所定の位置に達すると、その位置で姿勢が維持される（保持部材２の保持姿勢に対応）。
【００３２】
このように、本実施形態の装飾体保持具１は、移動手段３が、保持部材２を介して、間接的に伝導された外力によって、機構の姿勢を変更し、その変更に追従するように保持部材２を遊技機島３１内に収納させたり、退出させたりする収納機能を有する。
【００３３】
以上のように、本実施形態では、移動手段３を介して、遊技機島３１の外側に露出した保持部材２を、遊技機島３１の内部に装飾体保持具１を収納できる構成としたため、先に説明したような遊技機島３１内部のメンテナンスが必要な場合において、装飾体保持具１が作業の障害となるおそれがない。すなわち、本実施形態によれば、メンテナンス作業の際に、装飾体保持具１に注意を払いながら作業を行う必要がないため、作業効率を向上させることができる。
【００３４】
また、本実施形態の装飾体保持具１は、押圧操作によって、遊技機島３１内部に保持部材２を容易に収納できるため、その収納する作業手間（以下、収納作業という）が作業者の負担となることがない。結果的に、本実施形態によれば、収納作業を含めたメンテナンス作業全体を見ても、従来技術の作業と比べても作業効率は高い。
【００３５】
上記実施形態では、保持部材２を押圧操作によって遊技機島３１内に収納する構成を示したが、本発明はこれに限定されず、保持部材を回転操作によって遊技機島３１の内部に収納させる構成であっても構わない（第二実施形態）。すなわち、第二実施形態の装飾体保持具２１は、図８〜１０に示すように、回転軸部（移動手段）２６を備えた保持部材２２と、軸保持部（移動手段）２７を備えた収納部材２３とで構成されている。
なお、以下の説明においては、第一実施形態と同一の部材等は、同様の符番をして説明を省略する。
【００３６】
回転軸部２６は、図９、１０に示すように、保持部材２２の側壁１１に設けられた切り込み部１２と対向する位置に配され、保持部材２２の軸線方向に沿うようにして設けられた棒状部である。そして、その回転軸部２６は、両端部が保持部材２２の軸線方向端部側から若干突出した構成とされている。すなわち、回転軸部２６の全体長さは、側壁１１の軸線方向長さよりも長く設定されている。
【００３７】
軸保持部２７は、図９に示すように、収納部材２３における開口部２４の幅方向（左右方向）中央の位置であり、且つ、高さ方向（上下方向）に互いに向き合うような配置で設けられている。換言すれば、軸保持部２７は、開口部２４近傍で仮想鉛直線上に設けられた軸が挿着される部分である。具体的には、軸保持部２７は、収納部材２３の高さ方向上側で部材厚方向に貫通した軸保持孔２７ａと、さらに収納部材２３の高さ方向下側で部材厚方向に凹んだ軸保持凹部２７ｂとで構成されている。
【００３８】
したがって、本実施形態の装飾体保持具２１は、回転軸部２６を軸保持部２７に保持させて、保持部材２２を収納部材２３に対して相対的に回転可能に接続している。なお、保持部材２２を回転軸部２６を基準として回転させる場合、保持部材２２の円滑な回転動作を確保するべく、保持部材２２の回転軌跡を考慮した開口部２４のサイズを設定する必要がある。
【００３９】
また、本実施形態では、保持部材２２の姿勢を保持するべく、姿勢保持手段２５が備えられている。姿勢保持手段２５は、保持部材２２側に取り付けられた２つの小片の磁石４１、４２と、収納部材２３側に取り付けられた前記磁石４１、４２とほぼ同等の大きさの金属板４３とで構成されている。
磁石４１、４２は、保持部材２２の側壁１１であって、高さ方向上側の異なる位置に１つずつ取り付けられている。具体的には、２つの磁石４１、４２は、回転軸部２６を基準に、互いに離反する方向に同一距離だけ離れた位置に設けられている。
一方、金属板４３は、収納部材２３の開口部２４近傍であって、軸保持孔２７ａよりも若干左又は右方向（開口部２４の幅方向）にずれた位置に１つ設けられている。すなわち、この金属板４３には、保持部材２２が保持姿勢の際に当接し、回転軸部２６を基準として回転させて収納姿勢に変更された際に再び当接する。これにより、保持部材２２の各姿勢を維持させておくことが可能となる。
【００４０】
このように、本実施形態の装飾体保持具２１は、図１１に示すように、回転軸部２６を基準に、保持部材２２を収納部材２３に対して相対的に回転させるだけで、当該保持部材２２を容易に収納姿勢に変更することができる。また、装飾体保持具２１は、姿勢保持手段２５を備えているため、保持姿勢及び収納姿勢を維持させておくことができる。
以上によれば、本実施形態の装飾体保持具２１についても、上記実施形態と同様の効果を期待することができる。
なお、本発明においては、回転軸部２６を鉛直線上に沿って設けず、水平線上に沿って設けて、上下方向に保持部材２２を回転させる構成であっても構わない。
【００４１】
上記実施形態では、プレート装飾体（図示しない）を保持する保持部材２、２２を備えた構成を示したが、本発明はこれに限定されず、図１２に示すように、旗及び棹部を備えたフラッグ装飾体（図示しない）を保持する保持部材２９を備えた構成であっても構わない。またこの場合、保持部材２９自体が長尺化する場合があるため、保持部材２９を遊技機島３１内に収納する際に、保持部材２９全体が収納部材に収納されない構成であっても構わない。すなわち、図１３に示すように、収納部材４４は、保持部材２９の一部が収納される構成であっても構わない。
【００４２】
上記第二実施形態では、保持部材２２を遊技機島３１内に収納する収納機能に加えて、各姿勢を維持できる姿勢保持手段２５を備えた構成を示したが、本発明はこれに限定されず、姿勢保持手段２５を備えない構成であっても構わない。
【００４３】
上記第一実施形態では、オルタネイト動作を行う機構を用いて保持部材２を直線移動させる構成を示したが、本発明はこれに限定されず、保持部材２を常時保持姿勢側に付勢する付勢手段と、収納姿勢の維持及び解除を可能とする係合手段を備えた構成であっても構わない。
【符号の説明】
【００４４】
１、２１    装飾体保持具
２、２２、２９    保持部材
３    移動手段
５、２３、４４    収納部材
２６    回転軸部（移動手段）
２７    軸保持部（移動手段）
３０    遊技機
３１    遊技機島
【図１】
0005999897.tif 000002
【図２】
0005999897.tif 000003
【図３】
0005999897.tif 000004
【図４】
0005999897.tif 000005
【図５】
0005999897.tif 000006
【図６】
0005999897.tif 000007
【図７】
0005999897.tif 000008
【図８】
0005999897.tif 000009
【図９】
0005999897.tif 000010
【図１０】
0005999897.tif 000011
【図１１】
0005999897.tif 000012
【図１２】
0005999897.tif 000013
【図１３】
0005999897.tif 000014